(57)【要約】      （修正有）【課題】広範囲な果樹園、あるいは遠方の養殖池等に害鳥獣として出現したカラス、サル等傷つけることなく追い払うことを、瞬時にかつ安全に行うロケット花火を飛翔可能とするロケット花火発射装置を提供する。【解決手段】ロケット花火装着方法は、柄部２３を持ち上下を確認し導入管３後方がら挿入、一旦花火２０本体は誘導路４先端を通過し射出管２に落としこむ形になり導火線２１の先端が誘導路４先端より下方に位置し、柄部２３を引き戻すことにより誘導路４に当接する。さらに引くことで曲線を描きながら電池式電熱板５に到達しロケット花火２０の装填発射可能となる。【選択図】図１
2015200482.tif 000002
【特許請求の範囲】
【請求項１】
先端部と後端部が開放された鉄製直管を有し、該直管下面に開放された導火線着火口が形成され、該着火口下部に着火装置を構成したロケット花火発射装置において、
前記直管の任意の位置に把持部と導火線着火用電地ケースが前記把持部内に着火装置として構成され、前記導火線着火口下部に形成されたロケット花火導火線誘導路先端部を基点として前記直管基点後方はロケット花火導入管として前記直管基点前方向は射出管として分けられ、前記基点より前記射出管は前記ロケット花火導入管より内径は大であり、ロケット花火本体は前記ロケット花火導入管後部より挿入され、ロケット花火導火線は前記導火線誘導路に導かれ前記ロケット花火導火線先端部は直管外部に露出した状態となることを特徴としたロケット花火発射装置。
【請求項２】
前記導入管後部より挿入する前記ロケット花火導火線先端が前記ロケット花火誘導路先端を一旦通過し、その後前記ロケット花火本体を引き戻すことにより前記射出管と前記ロケット花火導入管の異径段差による作用によりロケット花火導火線部は前記誘導路により前記直管外部に露出することを特徴とした請求項１記載のロケット花火発射装置。
【請求項３】
前記直管基点に位置する前記導火線誘導路は、前記ロケット花火導入管先端部外周下部に構成され、前記直管外側下方向に長手後方任意の角度を持ち三角状に形成された略半漏斗状であり、前記導火線が前記漏斗状に誘導保持され、前記導火線に当接された前記ロケット花火導火線誘導路には導火線着火用の電池式発熱版が設置されていることを特徴とする請求項２記載のロケット花火導火線誘導路。
【請求項４】
前記射出管下部基点付近には前記導火線誘導路に隣接する開放された導火線穴があり、前記導火線穴には導火線を制御する長手方向前後に移動可能な導火線穴カバーが設置され該導火線穴カバー先端に導火線通過可能な孔が設けられ前記導火線誘導路に引き寄せられるとき導火線は前記孔を通過して前記導火線誘導路中心に誘導され前記電熱板に当接する手段と、前記導火線の硬度と弾性力による前記導火線穴カバー先端孔と前記導火線誘導路との引き寄せ圧で略固定され、前記射出管が下方に傾斜するもロケット花火が落下抑止する手段を持つことを特徴とする請求項１乃至４記載のロケット花火発射装置。
【請求項５】
規定された長さの中空間を持つ直管は、地面に固定装置により略固定され長手方向に連結可能とし、前記地面より長手方向前記直管任意の位置に請求項１乃至４記載のロケット花火導火線着火装置を形成し、前記直管長手方向先端にはロケット花火破裂粉塵、及び飛翔を抑止する網枠を設置構成し、前記網枠内で破裂したロケット花火残骸を回収することを特徴としたロケット花火発射装置。
【発明の詳細な説明】
【技術分野】
【０００１】  本発明は、飛翔花火、又はロケット花火で農作物等被害防止のための害鳥獣撃退用に使用するロケット花火発射装置に関するものである。
【背景技術】
【０００２】  収穫直前の果樹を荒らすカラス、あゆ、ニジマス等の内水面漁業に及ぼすサギ、河鵜、あるいは田植え直後のカモによる苗の被害、田畑を荒らす野猿、さらには熊等による農作物等に多大な経済的損害を与えている。被害を最小限に抑えるため様々な対策が講じられている。果樹等においてはネット、電柵、バラ線等の対策がなされているが繰り返し学習により慣れが生じ効果が得られない状況になり、特に小型魚養殖事業にとっては面積の広さ、風雨の激しい中、サギ、河鵜対策には頭を悩ましている状況である。【０００３】  これらの課題を解決するため、特許文献１によれば、カラス、野猿等の害鳥獣を追い払い被害を軽減するため爆竹音の効果を発揮するロケット花火発射装置が提供されている。又特許文献２では、ロケット花火を用いる害鳥獣撃退用の花火発射器において、ロケット花火を任意の方向へ発射できるようにするロケット花火発射器が提案されている。特許文献３には、ロケット花火を自動点火装置により簡単に花火を発射することができるロケット花火発射装置が提案されている。さらにインターネット販売文献４ではロケット花火発射台として模擬銃が提供されている。
【特許文献１】登録実用新案第３１２４４８１号
【特許文献２】特開２００５−１２１２６８号
【特許文献３】特願２０１２−２８３５１９号
【インターネット販売文献４】
有限会社シンク・フジイ  島根県松江市東津田町１３４９  品名  鳥獣害対策製品模擬銃（ロケット花火発射台）
【発明の開示】
【発明が解決しようとする課題】
【０００４】  上記の特許文献１に記載されているピストル型の花火銃の場合、ロケット花火本体を花火銃本体の中央部挿入口から装填し、さらに花火導火線を指で摘まんで導火線把持部へ誘導するときなど手袋等での作業では煩わしく、また導火線誘導後筒体に中空カバーを筒対先端より挿入し、などロケット花火を発射するまでの行程が複雑で、天候が雨、荒天時などの場合導火線が外部上面に露出しているため着火不良が発生する等の問題がある。【０００４】  上記特許文献２に記載されているロケット花火発射機の場合、任意の方向へ安全に発射可能とするものだが、実験によるとロケット花火火薬部が筒外に露出している場合は直線的に任意の方向へ飛翔する確立が低いことが解かった。さらに漏斗状の中での着火は危険が伴うものと思われ、また発射時天候にも左右される恐れがあり、より安全性が求められる。【０００５】  特許文献３に記載されているロケット花火自動着火装置を具備したロケット花火発射装置が提案されている。直管筒内にロケット花火本体が装填されたときロケット花火本体の姿勢制御が難しく、また筒先端が下方に傾くとロケット花火が移動することにより点火口に現れた導火線が移動し着火が困難となる。またロケット花火発射装置を下向きにするとロケット花火本体が落下する、などの問題がある。【０００６】  特許文献４のインターネット記載の模擬銃（ロケット花火発射台）は特許文献１記載のピストル型に対してライフル型を模した花火銃と思われるが、ロケット花火の装填から発射まで特許文献１記載の花火銃と同様な作業工程であるため、特許文献１記載の花火銃と同様な問題が発生するものと思われる。【０００７】  このような課題を鑑みて試作あるいは実験を繰り返し多数の問題点を抽出し、解決しようとする課題を整理し列挙する。【０００８】  １、ロケット花火本体を発射装置に装填時の曲げによるロケット花火柄部の破損。２  発射装置を下向きに時のロケット花火本体の落下。３、ロケット花火発射装置自動点火時の導大線位置の特定。４、点火ミス、あるいはロケット花火不具合による発射不良時のロケット花火本体の安全な取り出し。【０００９】  本発明は、以上のような状況、課題の下になされたもので、広範囲な果樹園、あるいは遠方の養殖池等に害鳥獣として出現したカラス、サル等傷つけることなく追い払うことを瞬時に、かつ安全にロケット花火飛翔可能とするロケット花火発射装置の提供を目的とするものである。また、近年新たに地方の市街地において電線等に数千羽のカラスが飛来し糞害、悪臭等で市民生活にも支障が来たしている新聞、マスコミ報道がある。
【課題を解決するための手段】
【００１０】  先端部と後端部が開放された鉄製直管を有し、該直管は直径の異なる２種類の直管を溶着又は兆番等で連結されている。この連結部導火線導入路を形成し、その先端を基点としてロケット花火本体挿入管と、それより直径が大のロケット花火射出管として分けられロケット花火本体はロケット花火導入管後部より挿入され、ロケット花火導火線は導火線誘導路に導かれロケット花火先端部分は直管外部に露出することを特徴とした。【００１１】  ロケット花火導火線誘導路に導火線を誘導するには、導入管後部より挿入するロケット花火導火線がロケット花火導火線誘導路先端を一旦通過し、その後ロケット花火本体を引き戻すことによりロケット花火導火線誘導路先端部で直管直径差を利用した作用によって導火線は直管外へと誘導される。【００１２】  直管基点に位置するロケット花火導火線誘導路はロケット花火導入管先端部外周下部に構成され直管略半円周から直管外側後方に任意の角度を持ち下方に延びる三角状に形成された略半漏斗状であり導火線先端部分が誘導路に把持され導火線と半漏斗状に形成されたロケット花火導火線誘導路と当接する部分には導火線着火用の電池式発熱版が設置されている。【００１３】  規定された長さを持つ連結された中空直管を、地面に固定装置により倒れない程度に固定し、地面より任意の位置にロケット花火着火装置を構成し、点火されたロケット花火は、中空直管内を飛翔し先端に到達する。連結された直管先端には網状に形成された筒状のロケット花火破裂室を設け、到達したロケット花火を音とともに破裂させる手段を持つものである。
【発明の効果】
【００１４】  請求項１の発明は、ロケット花火発射時の作業工程の簡略化、及び発射時間行程の短縮、が解決されている。例えば、従来害鳥獣が出現した時ロケット花火を挿入し、導火線をつまみ、把持部に装着、さらにライターを取り出して着火する、こうした手間どうっていた作業の工程が大幅に短縮されることとなり、またロケット花火発射装置内で不着火時もロケット花火本体の柄部が射出管後部より３０ｍｍ乃至４０ｍｍの露出がありロケット花火発射装置を下方に向けロケット花火柄部を押すことで不発のロケット花火を簡単に安全に取り出すことができる。【００１５】  射出直管を２種の直径を採用したことにより直管内部に突起物を無くしロケット花火柄後部に飛翔距離を制御する重り、また飛翔を確認等するためのテープなどの装着時に抵抗なく飛翔可能とする。試験段階での飛距離が必要でない場合も多くあり飛距離の選択が可能となり、さらに飛翔後ロケットへ花火残骸の回収が必要となり目印用のテープ等の必要性が高まっている。【００１６】  請求項２の発明はロケット花火装着時の簡略化、導火線位置を決定するものである。全筒体最後方からロケット花火上下を確認、上向きに挿入すれば導火線を摘まみ触れることなく着火位置に到達する。ロケット花火導入管に挿入されたロケット花火導火線は誘導路先端を通過した後、射出管に落下する形になり導火線先端部は誘導路先端より下方に位置され引き戻されることにより固着した柄部と、導火線部が鋭角設定された該先端より導火線のみが下向きに角度を持った誘導路に導かれる設定となる。【００１７】  請求項３の発明は三角形状に形成された導火線誘導路に設定された電熱板による着火方式である。従来市販のライターでは弱風の状況であっても着火困難な状態は解消されず、風に影響されないニクロム板を使用した電熱を使用することで解消し着火状況は格段に良好になった。【００１８】  請求項４の発明はロケット花火発射操作作業中のロケット花火外部落下の抑止、及び導火線の電熱板当接を確実に行われることを可能としたものである。ロケット花火本体を筒内保持ため、導火線の硬度を利用し、導火線長の中程を導火線穴カバー先端で押し、導火線先端部は誘導路に曲線を描き押し付けられ電熱板に貼り付けられた形になる。このように導火線の弾性力で略固着されるが燃焼で略固着が解け発射に支障がなく移動中容易に落下することがない。【００１９】  電熱板はニクロム板により形成されている。電圧に制限があるためニクロム板は極力小型せざるを得ず導火線の位置決めに対しては精巧な制御が必要である。そのため挿入時射出管を移動中から導火線先端を中央中心に制御するため導火線穴カバー先端孔を通過した時点で導火線誘導路中心に当接となる。電熱板使用で着火が容易になり、連続的なロケット花火発射が可能となり、害鳥獣をすばやく追い払うことができる。【００２０】  請求項５の発明は、市街地や住宅地のカラス、鳩、など特に糞害等がある時にロケット花火を使用する場合、飛翔距離が長く、火災の可能性を秘めているため、使用した花火を完全回収する装置である。空中破裂より効果は薄れるが、音、光、煙の匂い、などの効果は変わりない。
【図面の簡単な説明】
【００２１】
【図１】本発明に係るロケット花火発射装置の部分断面図である
【図２】導入管に連結する誘導路及び電熱版の表面図
【図２】導火線設置箇所の部分拡大図
【図４】導火線穴カバー拡大斜視図
【図５】第２実施形態を示す斜視図である
【図６】市街地用ロケット花火発射装置の模式図である
【発明を実施するための最良の形態】
【実施例１】
【００２２】  以下、本発明の実施の形態を図面に基づいて説明するが、本発明は本実施例に限定されるものではなく、本発明の技術的範囲はこれらに限定されるものではない。図１から図５まで順を追って説明する。【００２３】  図１に示すのは、本発明に係る害鳥獣撃退用のロケット花火発射装置射出管部分図である。直径が大の射出管２と導入管３を溶着、又は連結した部分を基点１として説明をする。筒体（射出管２、導入管３同時説明）は鉄製、又はステンレス製の直管を使用し、筒体前後は開放されている。射出管２延長は飛距離、及び直進性維持を確保のため筒内に保持されたロケット花火２０先端より３０ｃｍ以上の長さで取り扱いの良い長さで決められる。【００２４】  射出管２と導入管３を異型にしたのはロケット花火挿入から射出外まで筒内に障害があってはならないからである。本発明の導火線誘導路の設置が筒である一本の直管内で処理すると筒内で突起物ができ、ロケット花火２３に取り付ける目印となるテープ、回収用の糸、重りなどが考えられるが、これらの物が通過するためには突起物があってはならない。
ロケット花火２０は害鳥獣撃退用に、遊びに、使用されるが飛距離が長く、高速であることから回収が困難で花火には火災の恐れ等があり使用箇所によっては回収の必要がある。【００２５】  ロケット花火装着方法は、柄部２３を持ち上下を確認し導入管３後方がら挿入、一旦花火２０本体は誘導路４先端を通過し射出管２に落としこむ形になり導火線２１の先端が誘導路４先端より下方に位置し、柄部２３を引き戻すことにより誘導路４に当接する。さらに引くことで曲線を描きながら電池式電熱板に到達しロケット花火２０の装填発射可能となる。【００２６】  電熱板５の使用は荒天時等の着火の容易性を高めるためである。従来市販ライターを使用していたが室外では弱風でも不着火の問題が発生していた。ロケット花火発射装置の把持部６に電池ケース７が組み込まれ着火装置として形成されている。電熱板５にはニクロム板が使用されており電池容量が制限されるため機能を実行するための最小限の大きさに規定されている。【００２７】  図２はロケット花火導入管３と連結された導火線誘導路４の正面図である。先端部１２は鋭角に研磨されロケット花火柄部２２と導火線２１とが分け隔てられる状態の確実性を確保している。形態は導入管３下部に懸架された形に三角形状のもので中心より谷折に半漏斗状に形成され電熱板５は２分割されており導火線２１を両側から挟む形となる。【００２８】  図３、図４は導火線を略固定し、ロケット花火装着作業、通常移動等時の花火２０落下防止、及び導火線を誘導路４の中心に導くための導火線穴カバー１３の使用状況を示した図である。図３の破線で表したのが導火線穴カバー１３を示す。装着方法で示した作業工程のなかで射出管に落とし込む形になるというのは導火線穴カバー１３と共に作用し、導火線は引き戻される力によりカバー孔１４に誘導され該孔１４を通過し誘導路４に当接し押しつける形になり導火線２１を略固定することになり同時にロケット花火本体の変稼動が抑制される。ただし略固定は、導火線燃焼後は開放され射出時にはロケット花火発射装置角度は上方に向けることが安全である。
【実施形態２】
【００２９】  図５はロケット花火発射装置に使用残骸を回収するためロケット花火柄部２３に、例えば釣り糸を連結し釣り用のリール１５を利用し飛翔したロケット花火を回収するものである。実験を繰り返し、状況により飛翔距離が短く求める場所等が存在し、又図示は無いが柄部２３には重り等を組み込み短距離飛翔を図るものである。
【００３０】  従来は花火を使用しても残骸がそのまま残され、見た目にも環境にも悪影響を及ぼすと考えられる。特にロケット花火は飛翔後回収が困難を極め、関係のない他者に迷惑をかけている。
【００３１】  飛距離を特に求めない場合、柄部２３には目印となるテープ等を設置し飛翔方向、及び落下地点の確認など回収が簡単な方法を示していかなければならず、害鳥獣撃退と同時に環境にも配慮する必要がある。
【００３２】  図６は、ロケット花火破裂後の残骸を外に飛散させることなく害鳥を追い払う装置である。市街地でも充分な高さにおいて破裂するほど効果があると思われる。中空連結管３１はアルミ製が軽量で連結管にふさわしく１個体の長さは２ｍから３ｍが望ましく、内径はロケット花火２０直径が約９ｍｍであるため１０ｍｍ乃至３０ｍｍが効率を高める。
【００３３】  ロケット花火２０は発射着火部３２で点火され連結管３１内を先端に向け上昇してロケット花火突出ノズル３３を経て網枠３４の先端部３６に到達し網枠３４の底に落下し、ロケット花火上昇用の火薬の燃焼後、破裂する。粉砕された残骸は金網３４に防護され外に飛散はない。
【００３４】  使用するロケット花火２０は、通常飛距離が５０ｍ程度あるため図６の本装置は到達距離が十数メートルと短いためか不発が多く発生した。網枠先端部３６に到達の衝撃が大きくロケット花火内に装てんされた火薬に不発が生ずるものと仮定して先端部３６に弾性体を取り入れ衝撃を吸収する手段を行った結果、不発が通常の確立に戻った。
【符号の説明】
【００３５】１  射出管、導入管を説明するための基点
２  ロケット花火射出管
３  ロケット花火導入管
４  導火線誘導路
５  導火線着火用電熱板
６  ロケット花火発射装置把持部
７  電熱板用電池ケース
１２導火線誘導路先端部
１３導火線穴カバー
１４導火線誘導通過用孔
１５魚釣り用リール
２０ロケット花火本体
２１ロケット花火導火線
２２ロケット花火柄部
２３ロケット花火柄部露出部
３１ロケット花火通過用連結中空管
３２ロケット花火発射着火部
３３ロケット花火突出ノズル
３４破裂用網枠
３５金網
３６破裂用金網先端部
【図１】
2015200482.tif 000003
【図２】
2015200482.tif 000004
【図３】
2015200482.tif 000005
【図４】
2015200482.tif 000006
【図５】
2015200482.tif 000007
【図６】
2015200482.tif 000008